(57)【要約】【課題】  表示品質に優れ、且つ情報の秘匿に優れた表示装置、及び電子機器を提供する。【解決手段】  表示装置は、一対の透明電極と、前記一対の透明電極に挟まれた発光層とを有する両面表示可能なエレクトロルミネセンス表示部と、前記表示部の少なくとも一方の面に隣接して配置され、透明状態／非透明状態を切替え可能な液晶調光シートとを備える。また、電子機器は、前記表示装置と、前記表示装置の両面が視認可能なように、前記表示装置が取り付けられた筐体と、前記表示装置に表示される情報を反転させる動作を制御する制御手段と、前記液晶調光シートの透明状態／非透明状態を切り替える切替手段とを備える。【選択図】      図１
2007071948.tif 000002
【特許請求の範囲】
【請求項１】
一対の透明電極と、前記一対の透明電極に挟まれた発光層とを有する両面表示可能なエレクトロルミネセンス表示部と、
前記表示部の少なくとも一方の面に隣接して配置され、透明状態／非透明状態を切替え可能な液晶調光シートと
を備えることを特徴とする表示装置。
【請求項２】
前記表示部は、有機エレクトロルミネセンス素子からなることを特徴とする請求項１に記載の表示装置。
【請求項３】
前記表示部は、無機エレクトロルミネセンス素子からなることを特徴とする請求項１に記載の表示装置。
【請求項４】
前記液晶調光シートは、
一対の透明電極と、
前記一対の透明電極に挟まれた液晶層と
を備えることを特徴とする請求項１から３のいずれか一項に記載の表示装置。
【請求項５】
前記液晶調光シートの前記一対の透明電極の間への印加電圧を制御して、前記液晶層の透明状態／非透明状態を変化させて、前記液晶調光シートの透明状態／非透明状態を切替えることを特徴とする請求項４に記載の表示装置。
【請求項６】
請求項１から５のいずれか一項に記載の前記表示装置と、
前記表示装置の両面が視認可能なように、前記表示装置が取り付けられた筐体と、
前記表示装置に表示される情報を反転させる動作を制御する制御手段と、
前記液晶調光シートの透明状態／非透明状態を切り替える切替手段と、
を備えることを特徴とする電子機器。
【請求項７】
前記表示装置の両面のうち一方の面を覆う蓋体と、
前記表示装置の前記一方の面が前記蓋体で覆われたことを検知する検知部と
をさらに備え、
前記制御手段は、前記表示装置の前記一方の面が前記蓋体で覆われた場合には、前記表示装置に表示される情報を反転させ、
前記切替手段は、前記表示装置の前記一方の面が前記蓋体で覆われた場合には、前記液晶調光シートの透明状態／非透明状態を切り替えることを特徴とする請求項６に記載の電子機器。
【発明の詳細な説明】
【技術分野】
【０００１】
本発明は、複数のエレクトロルミネッセンス（以下、エレクトロルミネッセンスをＥＬと略記する）表示の発光により情報を表示する表示装置、及びそれを表示部として備えた電子機器に関する。
【背景技術】
【０００２】
近年、平面型の表示装置の中で、エレクトロルミネッセンス（ＥＬ）表示装置に期待が集まっている。このＥＬ表示装置は、液晶表示装置と比べ、高速応答速度、広視野角、自発光素子特有の視認性の良さ、また駆動可能な温度範囲が広いといったディスプレイとして好適な特性を数多く有しており、現在多くの表示装置を必要とする電子機器において、有機ＥＬ表示装置を採用することが検討されている。
【０００３】
現在実用化されているＥＬ表示装置には、発光材料として無機材料を用いた無機ＥＬ表示装置と、発光材料として有機材料を用いた有機ＥＬ表示装置がある。電子機器の表示装置に無機ＥＬ表示装置を用いた従来の技術としては、特許文献１を挙げることができる。この公報に記載された二重絶縁構造の無機ＥＬ表示素子は、高い輝度と長寿命を有し、車載用ディスプレイ等への実用化がなされた。一方、電子機器の表示装置に有機ＥＬ表示装置を用いる従来の技術として、特許文献２を挙げることができる。この公報では、有機ＥＬ表示装置を携帯端末機器などの電子機器に用いており、機器の非使用時或いは携帯端末機器の場合は待ち受け時において必要最小限の情報のみ表示する技術が開示されている。
【０００４】
また、例えば特許文献３には、無機ＥＬ表示素子を形成する一対の電極及び支持基板を透過性とすることによって、透明な表示装置としての新たな実用例を提案している。自発光素子である無機ＥＬ表示素子は、液晶表示装置のようにバックライトを必要としないため、簡素な構造で、容易に透明な表示装置を提供することができる。また更に、例えば非特許文献１には、透明な有機ＥＬ表示装置を備えた折り畳み式携帯端末が開示されている。この携帯端末は、１枚の透明な有機ＥＬ表示装置を使って、表裏２画面の情報表示を行うものであり、２枚の液晶表示装置を用いて、メイン／サブディスプレイとして利用する従来の折り畳み式携帯端末に比べ、小型軽量化が期待できる。
【０００５】
【特許文献１】特開平７−２６３１４０号公報
【特許文献２】特開平１２−１０５５７３号公報
【特許文献３】特開平７−２６３１４０号公報
【非特許文献１】ＳＩＤ２００４  ５１．３：２．１−ｉｎｃｈ  ＱＣＩＦ＋  Ｄｕａｌ  Ｅｍｉｓｓｉｏｎ  ＡＭＯＬＥＤ  Ｄｉｓｐｌａｙ  ｈａｖｉｎｇ  Ｔｒａｎｓｐａｒｅｎｔ  Ｃａｔｈｏｄｅ  Ｅｌｅｃｔｒｏｄｅ
【発明の開示】
【発明が解決しようとする課題】
【０００６】
しかし、ＥＬ表示装置を透明な表示装置として利用する場合、裏面からの透過光を考慮しなければならない。裏面から入射する透過光は、ＥＬ表示装置を透過して利用者に視認されるため、コントラストの低下、色度のずれ等、表示品質に重要な影響を及ぼす。更に、利用者が視認しうる表示情報は、裏面から他の観察者に視認できることになり、情報の漏洩という点でも問題が生じる。例えば、非特許文献１では、有機ＥＬ表示装置に円偏光板を取り付けることで、裏面からの透過光を遮蔽し、表示品質の改善を提案している。しかしながら、現在一般に利用されている円偏光板は、透過率が５０％程度であるため、裏面からの透過光同様、ＥＬ表示装置からの発光も減衰させてしまい、従って利用者に対しての正面輝度の低下という課題が新たに生じる。
【０００７】
本発明の目的は、従来の透明ＥＬ表示装置、及びそれを表示部として備えた電子機器の課題を解決し、表示品質に優れ、且つ情報の秘匿に優れた表示装置、及び電子機器を提供することである。
【課題を解決するための手段】
【０００８】
本発明に係る表示装置は、
一対の透明電極と、前記一対の透明電極に挟まれた発光層とを有する両面表示可能なエレクトロルミネセンス表示部と、
前記表示部の少なくとも一方の面に隣接して配置され、透明状態／非透明状態を切替え可能な液晶調光シートと
を備えていることを特徴とする。
【０００９】
また、前記表示部が表裏両面表示可能な有機エレクトロルミネッセンス素子からなることを特徴とする。
【００１０】
また更に、前記表示部が表裏両面表示可能な無機エレクトロルミネッセンス素子からなることを特徴とする。
【００１１】
また、前記液晶調光シートは、一対の透明電極と、前記一対の透明電極に挟まれた液晶層とを備えていてもよい。
【００１２】
さらに、前記液晶調光シートの前記一対の透明電極の間への印加電圧を制御して、前記液晶層の透明状態／非透明状態を変化させて、前記液晶調光シートの透明状態／非透明状態を切替えることができる。
【００１３】
本発明に係る電子機器は、
前記表示装置と、
前記表示装置の両面が視認可能なように、前記表示装置が取り付けられた筐体と、
前記表示装置に表示される情報を反転させる動作を制御する制御手段と、
前記液晶調光シートの透明状態／非透明状態を切り替える切替手段と、
を備えていることを特徴とする。
【００１４】
また、前記表示装置の両面のうち一方の面を覆う蓋体と、
前記表示装置の前記一方の面が前記蓋体で覆われたことを検知する検知部と
をさらに備えてもよい。
この場合には、前記制御手段は、前記表示装置の前記一方の面が前記蓋体で覆われた場合には、前記表示装置に表示される情報を反転させ、前記切替手段は、前記表示装置の前記一方の面が前記蓋体で覆われた場合には、前記液晶調光シートの透明状態／非透明状態を切り替えることができる。
【発明の効果】
【００１５】
本発明に係る表示装置及び電子機器によれば、ＥＬ表示ユニット（以下、ＥＬパネルと略記する）と液晶調光シートとを貼り合わせた表示装置とすることで、裏面からの透過光を液晶調光シートで遮蔽し、表面の表示品質、特にコントラストを改善する。加えて、表面側に視認されるべき情報が、裏面側から観察できないため、情報の秘匿に効果的である。さらに、従来の両面表示ＥＬ表示装置よりも、表示品質に優れ、且つ情報の秘匿に優れた表示装置、及び電子機器を提供することができる。
【発明を実施するための最良の形態】
【００１６】
以下、本発明の実施の形態に係る表示装置及び該表示装置を用いた電子機器について添付図面を用いて説明する。なお、図面において実質的に同一の部材には同一の符号を付している。
【００１７】
（実施の形態１）
本発明の実施の形態１に係る表示装置について、図１及び図２を用いて説明する。図１は、本実施形態の表示装置の一例であって、発光面に垂直な断面図である。この表示装置１００は、ＥＬパネル１１０と液晶調光シート１２０とを、透過性を有する接着領域１３０で貼り合わせた構造となっている。
【００１８】
ＥＬパネル１１０は、一対の透明基板１１１ａ、１１１ｂの間に少なくとも発光層１１２が挟持された、任意の構成のものを用いることができる。尚、ＥＬパネル１１０としては、表裏両面から光を取り出すことのできるＥＬ表示素子より構成されたものであればよく、有機ＥＬ素子であっても、無機ＥＬ素子であってもよい。また、図２は、本発明の実施の形態１に係る表示装置の概略平面図であり、パッシブマトリックス駆動方式のＥＬパネルを示している。この場合、前記透明基板１１１ａ、１１１ｂ上に、発光面に平行であって、第１方向に平行に延在している複数の透明電極１１３ａと、発光面に平行であって、第１方向と直交する第２方向に平行に延在し、透明電極１１３ａに対向して設けられた複数の透明電極１１３ｂとを備える。尚、ＥＬパネル１１０は、アクティブマトリックス駆動方式であってもよい。アクティブマトリックス駆動方式の場合、前記透明基板１１１ａ、１１１ｂのうち、一方が薄膜トランジスタに接続されている。この薄膜トランジスタとしては、低温ポリシリコンやアモルファスシリコン薄膜トランジスタ等が用いられる。さらに、有機材料を含む薄膜により構成された有機薄膜トランジスタであってもよい。またさらに、透明電極１１３ａと１１３ｂとの交点（画素）ごとに、発光層１１２をＲＧＢの各発光色を示す蛍光体で色分けして成膜することにより、カラーの表示装置とすることもできる。あるいは、別例のカラー表示装置の場合は、ＲＧＢ各色の発光層を積層してもよい。またさらに、別例のカラー表示装置の場合、単一色又は２色の発光層による表示装置を作成した後、カラーフィルター及び／又は色変換フィルターを用いて、ＲＧＢを表示することもできる。
【００１９】
図３に、有機ＥＬ素子の基本的な構造の一例を示す。有機ＥＬ素子２００は、透明な基板２０１上に透明な正孔注入電極２０２、正孔輸送層２０３、発光層２０４、電子注入電極２０５の順に積層して形成されている。正孔注入電極２０２と電子注入電極２０５との間に数Ｖの直流電圧を印加すると、正孔注入電極２０２から正孔輸送層２０３を介して発光層２０４に注入された正孔と、電子注入電極２０５から発光層２０４に注入された正孔とが、発光層２０４内にて再結合し、発光が生じる。尚、前記層構成は一例であって、これらに限定されるものではなく、従来から有機ＥＬ素子として公知の層構成を適宜用いることができる。
【００２０】
前記正孔注入電極２０２としては、透明導電膜であるＩＴＯ（インジウム錫酸化物）膜が用いられる。ＩＴＯ膜はその透明性を向上させ、あるいは抵抗率を低下させる目的で、スパッタリング法、エレクトロンビーム蒸着法、イオンプレーティング法等によって成膜される。また、前記正孔輸送層２０３としては、Ｎ，Ｎ'−ビス（３−メチルフェニル）−Ｎ，Ｎ'−ジフェニルベンジジン（ＴＰＤ）等、Ｔａｎｇらの用いたジアミン誘導体が用いられる。これらの材料は一般に透明性に優れ、８０ｎｍ程度の膜厚でもほぼ透明である。また、前記発光層２０４としては、トリス（８−キノリノラト）アルミニウム（Ａｌｑ３）等の電子輸送性発光材料を真空蒸着により数十ｎｍの膜厚に形成して用いる構成が一般的である。種々の発光色を実現するなどの目的で、発光層２０４は比較的薄膜とし、電子輸送層を２０ｎｍ程度積層した、所謂ダブルヘテロ構造が採用されることもある。また、前記電子注入電極２０５としては、ＭｇＡｇ合金あるいはＡｌＬｉ合金等、仕事関数が低く電子注入障壁の低い金属と、比較的仕事関数が大きく安定な金属との合金等を、膜厚１０ｎｍほどの透過性を有する程度に積層し、次いでＩＴＯ膜等の透明電極を積層したものが用いられることが多い。尚、前記正孔注入電極２０２、正孔輸送層２０３、発光層２０４、電子注入電極２０５の構成材料は一例であって、これらに限定されるものではなく、従来から両面光取り出し可能な有機ＥＬ素子の作製に使用されている公知の材料を適宜用いることができる。
【００２１】
図４に、無機ＥＬ素子の基本的な構造の一例を示す。無機ＥＬ素子２１０は、透明基板２１１上に第１透明電極２１２ａと、第１絶縁層２１３ａと、発光層２１４と、第２絶縁層２１３ｂと、第２透明電極２１２ａとが、この順に積層して形成されている。第１透明電極２１２ａと第２透明電極２１２ｂとの間に１０６Ｖ／ｃｍ程度の交流電圧を印加すると、高電界で加速された電子が発光層２１４内の蛍光体の発光中心を衝突励起し、それらが緩和する際に発光を生じる。絶縁層２１３ａ、２１３ｂは、発光層２１４内を流れる電流を制限する機能を有し、無機ＥＬ素子２１０の絶縁破壊を抑えることが可能であり、且つ安定な発光特性が得られるように作用する。尚、前記層構成は一例であって、これらに限定されるものではなく、従来から無機ＥＬ素子として公知の層構成を適宜用いることができる。
【００２２】
前記絶縁層２１３ａ、２１３ｂとして用いられる誘電体には、Ｙ２Ｏ３、Ｔａ２Ｏ５、Ａｌ２Ｏ３、Ｓｉ３Ｎ４、ＢａＴｉＯ３、ＳｒＴｉＯ３等が挙げられ、スパッタリングや蒸着等によって成膜される。また、前記発光層２１４として用いられる無機蛍光体は、一般に絶縁物結晶を母体結晶として、その中に発光中心となる無機材料をドープしたものが用いられ、好適な例としては、ＺｎＳを主体とし、Ｍｎ，Ｃｒ，Ｔｂ，Ｅｕ，Ｔｍ，Ｙｂ等の遷移金属元素や希土類元素をドープしたものが挙げられる。尚、前記絶縁層２１３ａ、２１３ｂ、発光層２１４の構成材料は一例であって、これらに限定されるものではなく、従来から両面光取り出し可能な無機ＥＬ素子の作製に使用されている公知の材料を適宜用いることができる。
【００２３】
次に、液晶調光シートについて説明する。液晶調光シート１２０としては、１対の透明基板１２１ａ、１２１ｂとの間に液晶層１２２が挟持された、任意の構成のものを用いることができる。液晶調光シート１２０は、透明基板１２１ａ、１２１ｂの内面に透明電極１２３ａ、１２３ｂが対向して設けられ、前記透明基板１２１ａ、１２１ｂを平行に配置するために、内部にスペーサー（図示していない）を配置し、この間に液晶物質を注入して、封止部材１２４で封止している。前記液晶層１２２には、電圧無印加状態では透明状態で、電圧印加状態で白濁して非透明状態となる液晶物質、又は電圧印加状態では透明状態で、電圧無印加状態で白濁して非透明状態となる液晶物質が用いられる。尚、透明基板１２１ａ、１２１ｂは、透明な樹脂シート、透明電極１２３ａ、１２３ｂは導電性高分子よりなる透明又は半透明の電極であってよい。この場合、フレキシブルな液晶調光シートとなり、更なる軽量化が実現できる。
【００２４】
次に、前記表示装置１００の構造における作用について説明する。ＥＬパネル１１０に表示した任意の情報を利用者が矢印Ａ方向から視認する場合、発光層１１２からの発光を透明電極１１３ａと透明基板１１１ａとを介して利用者は認識することができる。一方で、ＥＬパネル１１０は、両面光取り出しが可能であるため、矢印Ｂ方向から入射した外光の一部は、透明基板１１１ｂ、透明電極１１３ｂ、１１３ａ、透明基板１１１ａを透過して利用者に認識される。その結果、利用者が視認する表示は、コントラストが低下してしまう。そこで、ＥＬパネル１１０に隣接して配置した液晶調光シート１２０を非透明状態にすることにより、矢印Ｂ方向から入射した外光は液晶層１２２で遮蔽されるため、利用者が視認する表示は、コントラストが低下することがない。この液晶調光シート１２０では、非透明状態での平行光線透過率が２０％以下であり、さらに好ましくは１０％以下であるため、十分に良好な表示品質を実現することができる。同時に、矢印Ｂ方向から利用者とは別の観察者がＥＬパネル１１０の表示を視認しようとしても、液晶調光シート１２０が非透明状態であるため視認できず、情報の機密性が確保される。一方、ＥＬパネル１１０に表示した任意の情報を利用者が矢印Ｂ方向から視認する場合、液晶調光シート１２０を透明状態とすることで、発光層１１２からの発光を透明電極１１３ｂと透明基板１１１ｂと、更に液晶調光シート１２０を介して利用者は認識することができる。例えば、従来の円偏光板を用いた場合を図９を用いて説明する。図９は円偏光板４１３を供えた折り畳み式携帯端末４００の要部断面図である。この携帯端末４００は、表示部４１２を有する略板状の表示部筐体４１０と、各種操作用の入力キーとしてのスイッチや送話部を有する略板状の操作部筐体４２０とが、ヒンジ部４３０によって互いに開閉可能に連結されており、表示部筐体４１０と操作部筐体４２０とを重ね合わせるように折り畳むことが可能な構造となっている。円偏光板４１３は表示部４１２に隣接して設けられ、その平行光線透過率は５０％程度である。表示部４１２の裏面からの透過光は円偏光板４１３によって５０％に減衰されることにより、表示部４１２の正面から観察される表示は一定の表示品質改善ができるが、一方で表示部４１２の裏面から観察される表示は円偏光板４１３によって同様に減衰されるため輝度が低下する。これに対し、上記液晶調光シート１２０では、透明状態での平行光線透過率が６０％以上であり、さらに好ましくは７０％以上であるため従来例よりも５０％程度の高輝度化を実現することができる。
【００２５】
尚、前述の実施形態は本発明の一例を示したものであって、本発明の構成はこれらに限定されるものではない。前記液晶調光シートが前記ＥＬパネルの両側に配置されていたとしても、本実施形態と同様の効果を得ることが可能である。
【００２６】
（実施の形態２）
本発明の実施の形態２に係る電子機器について、図５及び図６〜図８を用いて説明する。図５は、本発明の実施の形態１に係る表示装置を表示部とする電子機器の構成を折り畳み式携帯端末に適用した例を示す要部断面図である。また、図６は前記携帯端末が開いた状態において、矢印Ｃで示される側から見た斜視図であり、図７は、図６と同様に前記携帯端末が開いた状態において、矢印Ｄで示される側から見た斜視図である。また更に、図８は、前記携帯端末が折り畳まれた状態の斜視図である。この携帯端末３００は、表示部３１１ａ、３１１ｂと受話部３１４とを有する略板状の表示部筐体３１０と、各種操作用の入力キーとしてのスイッチ３２１と送話部３２２とを有する略板状の操作部筐体３２０とが、ヒンジ部３３０によって互いに開閉可能に連結されており、表示部筐体３１０と操作部筐体３２０とを重ね合わせるように折り畳むことが可能な構造となっている。なお、表示部筐体３１０と操作部筐体３２０とを折り畳むと、表示部３１１ａの面が操作部筐体３２０によって覆われる。この場合、操作部筐体３２０は蓋体として機能する。
【００２７】
前記表示部筐体３１０は、その中央部がくり抜かれた枠状に形成されており、ここに前記実施の形態１に係る表示装置が組み込まれ固定される。従って、図６に示されるように、表示部３１１ａに表示された情報を矢印Ｃの方向から視認可能であり、且つ、図７に示されるように、表示部３１１ｂに表示された情報を矢印Ｄの方向からでも視認可能となる。そして、図示はしていないが、この携帯端末３００は、表示部３１１に表示される情報を正転表示又は反転表示させる制御回路と、液晶調光シート３１３の透明状態／非透明状態を切り替える切替手段と、携帯端末３００の開閉状態を検出する検出手段とをさらに備える。表示部３１１の制御回路は、携帯端末を折り畳んだとき或いは開いたときに、利用者が表示部３１１を視認する方向（Ｃ方向又はＤ方向）に応じて、表示部３１１に表示される情報を正転表示又は反転表示させる。また、液晶調光シート３１３の切替手段は、携帯端末を折り畳んだとき或いは開いたときに、利用者が表示部３１１を視認する方向（矢印Ｃ方向又は矢印Ｄ方向）に応じて、液晶調光シート３１３を透明状態又は非透明状態とする。更に、携帯端末３００を折り畳んだ際に外側となる面に液晶調光シート３１３が配置され、内側となる面にＥＬパネル３１２が配置されるように、表示装置が表示部筐体３１０に固定されている。尚、この携帯端末３００のその他の構成は従来の一般的な折り畳み式携帯端末と同様である。
【００２８】
次に、本実施形態の作用を以下に説明する。前記携帯端末３００を開いた状態で表示部３１１に表示された情報を利用者がＣ方向から視認する場合、液晶調光シート３１３が非透明状態となる。これによりＤ方向から表示部３１１ｂに入射する外光はＥＬパネル３１２の手前で遮蔽されるため、利用者が視認する表示は、コントラストが低下することなく、良好な表示品質が実現できる。更に、利用者以外の者がＤ方向から表示部３１１に表示された情報を視認しようとしても、液晶調光シート３１３が非透明状態であるために視認ができず、情報の機密性が確保される。一方、図８に示すように、前記携帯端末３００を閉じた状態では、液晶調光シート３１３を透明状態とすることで、ＥＬパネル３１２に表示された情報（発光）は、透明な液晶調光シート３１３を透過して、Ｄ方向から利用者に視認できる。またこの場合、表示部筐体３１０と操作部３２０とが重ね合わされるように折り畳まれているため、Ｃ方向からの外光が表示品質に与える影響は無視できる。
【００２９】
尚、前述の実施形態は本発明の構成の一例を示したものであって、本発明の構成はこれらに限定されるものではない。液晶調光シートが前記携帯端末を折り畳んだ際に内側となるよう配置されていても、ＥＬパネルの両側に配置されていたとしても、本実施形態と同様の効果を得ることが可能である。
【産業上の利用可能性】
【００３０】
本発明に係る表示装置及び電子機器は、両面光取り出し可能なＥＬパネルを用いた表示装置及び電子機器、特に携帯電話等の移動体端末として有用である。
【図面の簡単な説明】
【００３１】
【図１】本発明の実施の形態１に係る表示装置の発光面に垂直な断面図である。
【図２】本発明の実施の形態１に係る表示装置の平面概略図である。
【図３】有機ＥＬ素子の発光面に垂直な断面図である。
【図４】無機ＥＬ素子の発光面に垂直な断面図である。
【図５】本発明の実施の形態２に係る電子機器の発光面に垂直な要部断面図である。
【図６】図５のＣ方向から見た表示面を示す斜視図である。
【図７】図５のＤ方向から見た表示面を示す斜視図である。
【図８】図５の電子機器を折り畳んだ状態を示す斜視図である。
【図９】従来の折り畳み式移動体通信端末の発光面に垂直な要部断面図である。
【符号の説明】
【００３２】
１００  表示装置、１１０  ＥＬパネル、１１１ａ、１１１ｂ  透明基板、１１２  発光層、１１３ａ、１１３ｂ  透明電極、１２０  液晶調光シート、１２１ａ、１２１ｂ  透明基板、１２２  液晶層、１２３ａ、１２３ｂ  透明電極、１２４  封止材、１３０  接着領域、２００  有機ＥＬ素子、２０１  透明基板、２０２  正孔注入電極、２０３  正孔輸送層、２０４  発光層、２０５  電子注入電極、２１０  無機ＥＬ素子、２１１  透明基板、２１２ａ、２１２ｂ  透明電極、２１３ａ、２１３ｂ  絶縁層、２１４  発光層、３００  電子機器、３１０  表示部筐体、３１１ａ、３１１ｂ  表示部、３１２  ＥＬパネル、３１３  液晶調光シート、３１４  受話部、３２０  操作部筐体、３２１  スイッチ、３２２  送話部、３３０  ヒンジ部、４００  電子機器、４１２  ＥＬパネル、４１３  円偏光板、４２０  操作部筐体、４３０  ヒンジ部
【図１】
2007071948.tif 000003
【図２】
2007071948.tif 000004
【図３】
2007071948.tif 000005
【図４】
2007071948.tif 000006
【図５】
2007071948.tif 000007
【図６】
2007071948.tif 000008
【図７】
2007071948.tif 000009
【図８】
2007071948.tif 000010
【図９】
2007071948.tif 000011